(57)【特許請求の範囲】
【請求項１】
長手方向に互いに離して配置され、短冊状に形成された複数の本体部と、
両端部が隣り合う前記本体部の端部にそれぞれ接続され、折り曲げることができるように前記本体部よりも可撓性を有するように形成された折り曲げ部と、
を備え、
前記本体部には、その上端部に切り欠きが設けられ、前記切り欠きの下方には、カーテンレールのフックを係止可能な貫通孔が形成されている、
アコーディオン式カーテン用テープ。
【請求項２】
前記折り曲げ部を交互に折り曲げて蛇腹状に折り畳むことができるように、前記本体部と前記本体部よりも薄い前記折り曲げ部とが長手方向に交互に配置されている、
請求項１に記載のアコーディオン式カーテン用テープ。
【請求項３】
前記切り欠きは、下側から上側に向かって徐々に幅が広がる台形状に形成されている、
請求項１又は２に記載のアコーディオン式カーテン用テープ。
【請求項４】
折り畳むことが可能なシートと、
前記シートの上端部において前記シートの折り畳み方向に延びるように固定されている請求項１から３のいずれか１項に記載のアコーディオン式カーテン用テープと、
を備えるアコーディオン式カーテン。
【請求項５】
前記シートには、複数のアコーディオン式カーテン用テープが互いに平行な向きに延びるように固定され、
各アコーディオン式カーテン用テープは、それぞれの折り曲げ部が前記アコーディオン式カーテン用テープの長手方向に対して垂直な向きに列を形成するように前記シートに固定されている、
請求項４に記載のアコーディオン式カーテン。
【発明の詳細な説明】
【技術分野】
【０００１】
本発明は、アコーディオン式カーテン用テープ及びアコーディオン式カーテンに関する。
【背景技術】
【０００２】
工場や倉庫等において空間内の温度を維持したり、ゴミや塵の侵入を防いだりするためにアコーディオン式カーテンが設置されることがある。アコーディオン式カーテンは、軽量なビニール樹脂等で形成され、蛇腹状に折り畳むことができる。例えば、特許文献１には、それぞれ上下方向に延びている複数の本体部と、当該本体部より薄くて幅が細い形状で上下方向に延びる複数の連結部と、を備え、本体部と連結部とが交互に連なるよう一体成形されたアコーディオン式カーテンが開示されている。
【先行技術文献】
【特許文献】
【０００３】
【特許文献１】特開２００３−１６６３８３号公報
【発明の概要】
【発明が解決しようとする課題】
【０００４】
特許文献１のアコーディオン式カーテンは、長手方向に複数の折り曲げ可能な連結部が設けられているため、スムーズに折り畳むことができる。しかし、特許文献１のアコーディオン式カーテンでは、連結部よりも厚さを有する本体部がアコーディオン式カーテンの大半を占めているため、厚さの均一なカーテンに比べて多くの原材料を必要とし、結果として高価で重く、取り扱いが困難であるという問題がある。また、特許文献１のアコーディオン式カーテンは、用途や設置場所に合わせた形状やサイズ等を有する専用品であるため、量産化による製造コストの抑制が困難であるという問題もある。
【０００５】
本発明は、このような背景に基づいてなされたものであり、製造や取り扱いが容易なアコーディオン式カーテンを提供することを目的とする。
【課題を解決するための手段】
【０００６】
上記目的を達成するために、本発明の第１の観点に係るアコーディオン式カーテン用テープは、
長手方向に互いに離して配置され、短冊状に形成された複数の本体部と、
両端部が隣り合う前記本体部の端部にそれぞれ接続され、折り曲げることができるように前記本体部よりも可撓性を有するように形成された折り曲げ部と、
を備え、
前記本体部には、その上端部に切り欠きが設けられ、前記切り欠きの下方には、カーテンレールのフックを係止可能な貫通孔が形成されている。
【０００７】
前記折り曲げ部を交互に折り曲げて蛇腹状に折り畳むことができるように、前記本体部と前記本体部よりも薄い前記折り曲げ部とが長手方向に交互に配置されてもよい。
【０００９】
前記切り欠きは、下側から上側に向かって徐々に幅が広がる台形状に形成されてもよい。
【００１０】
上記目的を達成するために、本発明の第２の観点に係るアコーディオン式カーテンは、
折り畳むことが可能なシートと、
前記シートの上端部において前記シートの折り畳み方向に延びるように固定されている前記アコーディオン式カーテン用テープと、
を備える。
【００１１】
前記シートには、複数のアコーディオン式カーテン用テープが互いに平行な向きに延びるように固定され、
各アコーディオン式カーテン用テープは、それぞれの折り曲げ部が前記アコーディオン式カーテン用テープの長手方向に対して垂直な向きに列を形成するように前記シートに固定されてもよい。
【発明の効果】
【００１３】
本発明によれば、製造や取り扱いが容易なアコーディオン式カーテンを提供できる。
【図面の簡単な説明】
【００１４】
【図１】（ａ）は、本発明の実施の形態に係るアコーディオン式カーテンの構成を示す正面図であり、（ｂ）は、（ａ）のアコーディオン式カーテンを折り畳んだ様子を示す平面図である。
【図２】（ａ）は、本発明の実施の形態に係るアコーディオン式カーテン用テープの構成を示す正面図であり、（ｂ）は、（ａ）のアコーディオン式カーテン用テープの構成を示す平面図である。
【図３】（ａ）は、本発明の実施の形態に係る他のアコーディオン式カーテン用テープの構成を示す正面図であり、（ｂ）は、（ａ）のアコーディオン式カーテン用テープの構成を示す平面図である。
【図４】（ａ）は、本発明の変形例に係るアコーディオン式カーテン用テープの構成を示す正面図であり、（ｂ）は、（ａ）のアコーディオン式カーテン用テープを用いたアコーディオン式カーテンをカーテンレールに吊り下げた様子を示す拡大図である。
【図５】本発明の変形例に係る他のアコーディオン式カーテン用テープの構成を示す正面図である。
【図６】（ａ）は、本発明の変形例に係る他のアコーディオン式カーテン用テープの構成を示す平面図であり、（ｂ）は、（ａ）のアコーディオン式カーテン用テープを用いたアコーディオン式カーテンをカーテンレールに吊り下げた様子を示す拡大図である。
【図７】本発明の変形例に係る他のアコーディオン式カーテンをカーテンレールに吊り下げた様子を示す拡大図である。
【図８】（ａ）及び（ｂ）は、本発明の変形例に係る他のアコーディオン式カーテン用テープの構成を示す平面図である。
【図９】本発明の変形例に係るアコーディオン式カーテンの構成を示す正面図である。
【図１０】本発明の変形例に係る他のアコーディオン式カーテンの構成を示す正面図である。
【発明を実施するための形態】
【００１５】
以下、本発明に係るアコーディオン式カーテン用テープ及びアコーディオン式カーテンの実施の形態を、図面を参照しながら詳細に説明する。各図面においては、同一又は同等の部分に同一の符号を付す。
【００１６】
実施の形態では、アコーディオン式カーテン用テープを「テープ」と省略して表現することがある。また、アコーディオン式カーテンのうちカーテンレールのフックに吊される側を「上」、その反対側を「下」のように表現することがある。
【００１７】
図１（ａ）は、実施の形態に係るアコーディオン式カーテン１の構成を示す正面図であり、図１（ｂ）は、図１（ａ）のアコーディオン式カーテン１を折り畳んだ様子を示す平面図である。
【００１８】
アコーディオン式カーテン１は、折り畳み可能な矩形状のシート２と、シート２の上端部及び下端部に、それぞれシート２の上端部及び下端部に沿って延びるように固定された２本のテープ１０ａと、シート２の上端部及び下端部の間の表面部に、テープ１０ａと互いに平行な向きに延びるように固定されたテープ１０ｂと、を備える。
【００１９】
シート２は、折り畳むことが可能な矩形状のシートである。シート２は、例えば、矩形状に裁断された織物、編物等の生地、塩化ビニールのような樹脂材料から形成された樹脂製のシート等であり、可撓性を有する。シート２は、折り畳むことができ、かつテープ１０ａ、１０ｂを固定できる素材であれば、用途や設置場所に合わせていかなる素材を使用していてもよい。
【００２０】
図２（ａ）は、実施の形態に係るテープ１０ａの構成を示す正面図であり、図２（ｂ）は、図２（ａ）のテープ１０ａの構成を示す平面図である。
【００２１】
テープ１０ａは、アコーディオン式カーテン１を製造するための部品である。テープ１０ａは、例えば、塩化ビニール等の樹脂材料で形成され、テープ１０ａの長手方向に一定の間隔で交互に折り曲げて蛇腹状に折り畳めるような形状を有する。折り畳み可能な矩形状のシート２に対してテープ１０ａを固定することで、一定の間隔で折れ曲がるようにシート２の変形を規制できるため、アコーディオン式カーテン１を簡単に製造できる。
【００２２】
テープ１０ａは、短冊状に形成され、テープ１０ａの長手方向に互いに離して配置されている複数の本体部１１と、両端部が隣り合う本体部１１の端部にそれぞれ接続され、折り曲げることができるように本体部１１よりも薄く形成された折り曲げ部１２と、本体部１１に設けられ、カーテンレールに対して移動可能に設けられたフック（例えば、ランナーのフック等）を係止可能な貫通孔１３と、を備える。
【００２３】
本体部１１は、折り曲げ部１２に比べて容易に折り曲げられない程度の厚みで形成されている。本体部１１は、例えば、柔軟に折り曲げ可能なシートであってもよく、ある程度の剛性を有するプレートであってもよい。他方、折り曲げ部１２は、どちらの方向にも折り曲げることができるように薄さに形成され、可撓性を有する。このため、テープ１０ａを折り曲げようとすると、所定の間隔で配置された折り曲げ部１２で折り曲げられる。このため、折り曲げ部１２を交互に折り曲げることで、テープ１０ａを蛇腹状に折り畳むことができる。
【００２４】
本体部１１は、その幅がテープ１０ａの幅よりも小さくなるように形成され、その上端部がテープ１０ａの上端部に接するように配置されている。本体部１１及び折り曲げ部１２の下側には、折り曲げ部１２と同一の厚さを有する固定部１４が設けられている。固定部１４は、例えば、接着、熱圧着、縫製等によりシート２の上端部に固定される。
【００２５】
各折り曲げ部１２は、同一の長さを有していることが好ましい。各折り曲げ部１２の長さは、シート２に固定された複数のテープ１０ａの長手方向のずれ、カーテンレールに取り付けられたアコーディオン式カーテン１の折れ畳まれ方等を考慮して、アコーディオン式カーテン１が取り付けられるカーテンレールのランナーの幅と略同一であるか、ランナーの幅よりも小さいことが好ましい。
【００２６】
貫通孔１３には、フック等が係止されたときに貫通孔１３がカーテン生地の重み等で破損しないように補強用リングが設けられてもよい。補強用リングは、例えば、金属製リングである。
【００２７】
なお、貫通孔１３を折り曲げ部１２に設けるかどうかは任意である。テープ１０ａをシート２の上端部に固定する場合には本体部１１に貫通孔１３を設けることが好ましいが、テープ１０ａをシート２の下端部に固定する場合には、本体部１１に貫通孔１３を設ける必要はない。
【００２８】
テープ１０ａは、本体部１１と折り曲げ部１２とを一体成形することで製造してもよく、本体部１１と折り曲げ部１２とを別体として成形し、その後、本体部１１と折り曲げ部１２とを接着、熱圧着等の手段により一体化することで製造してもよい。また、テープ１０ａは、長尺なテープ上の本体部１１に対応する位置にそれぞれ短冊状のシートを載せ、接着、熱圧着等の手段によりテープと短冊状のシートとを一体化することで製造してもよい。
【００２９】
図３（ａ）は、実施の形態に係るテープ１０ｂの構成を示す正面図であり、図３（ｂ）は、図３（ａ）のテープ１０ｂの構成を示す平面図である。以下、テープ１０ａの構成と異なる点を中心に説明する。
【００３０】
テープ１０ｂは、シート２の表面部に固定されるのに適したテープである。テープ１０ｂは、複数の本体部１１と、折り曲げ可能となるように本体部１１よりも薄く形成された折り曲げ部１２と、を備える。
【００３１】
本体部１１は、その幅がテープ１０ｂの幅よりも小さくなるように形成され、テープ１０ｂの上端部及び下端部から離して配置されている。本体部１１及び折り曲げ部１２の上側及び下側には、それぞれ折り曲げ部１２と同一の厚さを有する固定部１４がそれぞれ設けられている。固定部１４は、例えば、接着、熱圧着、縫製等によりシート２の表面部に固定される。テープ１０ｂは、上下に離して配置された一対の固定部１４を備えるため、テープ１０ａに比べてシート２にしっかりと固定できる。
【００３２】
図１に戻り、テープ１０ａ、１０ｂは、それぞれの折り曲げ部１２がテープ１０ａ、１０ｂの長手方向に対して垂直な向き（上下方向）に列を形成するようにシート２に固定されている。このため、図１（ａ）の点線で示す折り曲げ線に沿ってシート２を交互に折り曲げることにより、図１（ｂ）に示すようにアコーディオン式カーテン１を蛇腹状に折り畳むことができる。
【００３３】
また、各折り曲げ部１２は、隣接する本体部１１の間である程度の長さを有しているため、テープ１０ａ、１０ｂが互いにシート２に対して長手方向に多少ずれて固定されたとしても、図１（ａ）の点線で示す折り曲げ線が各折り曲げ部１２を通過していれば、当該折り曲げ線に沿ってアコーディオン式カーテン１を折り畳むことができる。
【００３４】
以上説明したように、実施の形態に係るテープ１０ａ、１０ｂは、テープ１０ａ、１０ｂの長手方向に互いに離して配置され、短冊状に形成された複数の本体部１１と、両端部が隣り合う本体部１１の端部にそれぞれ接続され、折り曲げることができるように本体部１１よりも薄く形成された折り曲げ部１２と、を備える。このため、テープ１０ａ、１０ｂを折り畳み可能な矩形状のシート２に固定するだけで、簡単にアコーディオン式カーテン１を製作できる。
【００３５】
実施の形態に係るアコーディオン式カーテン１は、折り畳むことが可能な矩形状のシート２と、シート２の上端部、下端部又は表面部に固定されているテープ１０ａ、１０ｂと、を備える。このため、任意の素材や形状、寸法等で形成された任意のシート２を使用できるので、用途や設置場所等に合わせてアコーディオン式カーテンの専用品を製造する必要がなくなり、製造コストを抑制できる。また、従来のコーディオン式カーテンに比べて使用する原材料を削減できるため、安価かつ軽量で、取り扱いの容易なアコーディオン式カーテン１を提供できる。
【００３６】
本発明は上記の実施形態に限られず、以下に述べる変形も可能である。
【００３７】
（変形例）
上記実施の形態では、テープ１０ａの上端部は直線状であったが、本発明はこれに限られない。例えば、図４（ａ）に示すように、テープ１０ｃの本体部１１の上端部にそれぞれ切り欠き１５を設け、切り欠き１５の下側にある本体部１１にカーテンレール３のフック４を係止可能な貫通孔１３を設けてもよい。
【００３８】
テープ１０ｃがシート２の上端部に固定されたアコーディオン式カーテン１をカーテンレール３のフック４に吊り下げると、シート２に切り欠き１５が設けられているため、図４（ｂ）に示すように、本体部１１及び折り曲げ部１２の上部がカーテンレール３の両側（図４（ｂ）のカーテンレール３の手前側及び奥側）でカーテンレール３に覆い被さるように交互に配置される。これによりカーテンレール３とアコーディオン式カーテン１との間の隙間を低減できる。
【００３９】
また、図５に示すように、テープ１０ｄの本体部１１に設けられた切り欠き１５は、下側から上側に向かって徐々に幅が広がる台形状に形成されてもよい。本体部１１のうち切り欠き１５の両側にある部分が斜めに切り欠かれているため、その部分が自らの重みでめくれて倒れる可能性を低減できる。
【００４０】
さらに、図６（ａ）に示すように、テープ１０ｅの本体部１１に設けられた切り欠き１５は、第１の切り欠き１５ａと第２の切り欠き１５ｂとを備えてもよい。第１の切り欠き１５ａは、下側から上側に向かって徐々に幅が広がる台形状に形成されている。第２の切り欠き１５ｂは、第１の切り欠き１５ａの底面部から下方に延び、細長い矩形状に形成されている。第２の切り欠き１５ｂは、貫通孔１３にカーテンレール３のフック４を係止させたときにフック４が収容される大きさに形成されている。
【００４１】
テープ１０ｅがシート２の上端部に固定されたアコーディオン式カーテン１をカーテンレール３のフック４に吊り下げると、シート２に切り欠き１５が設けられているため、図６（ｂ）に示すように、本体部１１及び折り曲げ部１２の上部がカーテンレール３の両側（図６（ｂ）のカーテンレール３の手前側及び奥側）でカーテンレール３に覆い被さるように交互に配置される。また、第１の切り欠き１５ａよりも下方に形成された第２の切り欠き１５ｂを備えるため、アコーディオン式カーテン１をカーテンレール３側に引き上げることができる。これによりカーテンレール３とアコーディオン式カーテン１との間の隙間をさらに低減できる。
【００４２】
上記変形例では、テープ１０ｃ、１０ｄ、１０ｅは、図４（ｂ）及び図６（ｂ）に示すように、その一部がカーテンレール３のフレームの両側でカーテンレール３に覆い被されるように交互に配置されていたが、本発明はこれに限られない。例えば、テープ１０ｃは、図７に示すように、その一部がカーテンレール３のフレームの両側でカーテンレール３に覆い被されることなく、フレームの下端部との間にわずかな隙間を空けて配置されるような寸法及び形状で構成してもよい。テープ１０ｄ、１０ｅについても、同様に構成してもよい。
【００４３】
上記実施の形態では、テープ１０ａ〜１０ｅの本体部１１はテープ１０ａ、１０ｂの一方の面のみから突出していたが、本発明はこれに限られない。例えば、図８（ａ）の平面図に示すように、テープ１０ｆの両方の面から対向するように突出するように本体部１１を構成してもよく、図８（ｂ）の平面図に示すように、テープ１０ｇの両方の面から交互に突出するように本体部１１を構成してもよい。
【００４４】
上記実施の形態では、折り曲げ部１２は本体部１１に比べて薄く形成されていたが、本発明はこれに限られない。折り曲げ部１２は、本体部１１よりも折り曲げやすく形成されていればよく、例えば、折り曲げ部１２を本体部１１よりも可撓性のある材料で形成してもよい。この場合、本体部１１と折り曲げ部１２とが面一となるように両者を一体成形してもよい。
【００４５】
上記実施の形態では、２本のテープ１０ａをシート２の上端部及び下端部に、１本のテープ１０ｂをシート２の上端部及び下端部の中間にある表面部にそれぞれ固定していたが、本発明はこれに限られない。シート２に固定されるテープ１０の数は３本に限られず、２本以下であってもよく、４本以上であってよい。
【００４６】
例えば、図９に示すように、１本のテープ１０ｄをシート２の上端部に、１本のテープ１０ａをシート２の下端部にそれぞれ固定してもよい。また、図９のアコーディオン式カーテン１からシート２の下端部に固定されたテープ１０ａを省いてもよく、シート２の上端部に固定されたテープ１０ｄを省いてもよい。シート２の上端部に固定されたテープ１０ｄを省く場合には、シート２の上端部にカーテンレール３のフック４を係止可能な複数の貫通孔１３を設ければよい。
【００４７】
上記実施の形態では、テープ１０ａ〜１０ｇの固定部１４をシート２の上端部、下端部又は表面部に固定していたが、本発明はこれに限られない。例えば、テープ１０ａ〜１０ｇの面全体をシート２の上端部、下端部又は表面部に固定してもよい。この場合、シート２への固定のためにテープ１０ａ〜１０ｇに固定部１４を設ける必要がないため、固定部１４を省略し、本体部１１及び折り曲げ部１２の幅がテープ１０ａ〜１０ｇの幅と同一になるように構成してもよい。
【００４８】
上記実施の形態では、テープ１０ａ〜１０ｇを接着、熱圧着、縫製等によりシート２に固定していたが、本発明はこれに限られない。例えば、テープ１０ａ〜１０ｇを、本体部１１が突出していない面の一部又は全部に粘着性を持たせた粘着テープとし、本体部１１が突出していない面に設けられた粘着面をシート２に取り付けるだけで簡単に固定できるようにしてもよい。
【００４９】
上記実施の形態では、シート２とテープ１０ａ〜１０ｇとを組み合わせてアコーディオン式カーテン１を構成していたが、本発明はこれに限られない。例えば、図１０に示すように、アコーディオン式カーテン１ａは、折り畳みが可能な矩形状のシート２と、シート２の表面部に直線状に並べて配置され、短冊状に形成された複数の補強部２ａと、を備えてもよい。シート２の上端部に設けられた補強部２ａには、カーテンレール３のフック４を係止可能な貫通孔１３が設けられている。
【００５０】
補強部２ａは、互いに隣り合う補強部２ａの間の部分が折り畳み方向に対して垂直な方向に列を形成するようにシート２に固定されている。隣り合う補強部２ａの間の部分は、補強部２ａよりも厚さが薄く、可撓性を有するようになっており、折り曲げ可能に構成されている。このため、アコーディオン式カーテン１ａは、図１０の点線に沿って交互に折り曲げることで蛇腹状に折り畳むことができる。
【００５１】
アコーディオン式カーテン１ａは、シート２の表面に複数の補強部２ａを固定することで製造してもよく、シート２を成形する際に複数の補強部２ａを埋め込むことで製造してもよい。また、アコーディオン式カーテン１ａは、一対のシート２の間に複数の補強部２ａを挟み込むようにして埋め込み、一対のシート２を互いに接着させることで製造してもよい。
【００５２】
上記実施の形態では、シート２は矩形状であったが、本発明はこれに限られない。例えば、シート２は、その用途や設置場所等に応じて任意の形状であってもよく、例えば、三角形、半円形等であってもよい。
【００５３】
上記実施の形態は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また、特許請求の範囲に記載した発明と均等な発明も本発明に含まれる。
【符号の説明】
【００５４】
１，１ａ    アコーディオン式カーテン
２      シート
２ａ    補強部
３      カーテンレール
４      フック
１０ａ，１０ｂ，１０ｃ，１０ｄ，１０ｅ，１０ｆ，１０ｇ    テープ
１１    本体部
１２    折り曲げ部
１３    貫通孔
１４    固定部
１５    切り欠き
１５ａ  第１の切り欠き
１５ｂ  第２の切り欠き
【要約】
【課題】製造や取り扱いが容易なアコーディオン式カーテンを提供する。
【解決手段】テープ１０ａ、１０ｂは、テープ１０ａ、１０ｂの長手方向に互いに離して配置され、短冊状に形成された複数の本体部１１と、両端部が隣り合う本体部１１の端部にそれぞれ接続され、折り曲げることができるように本体部１１よりも可撓性を有するように形成された折り曲げ部１２と、を備える。折り曲げ部１２を交互に折り曲げて蛇腹状に折り畳むことができるように、本体部１１と本体部１１よりも薄い折り曲げ部１２とが長手方向に交互に配置されてもよい。
【選択図】図１【図１】
0006735403.tif 000002
【図２】
0006735403.tif 000003
【図３】
0006735403.tif 000004
【図４】
0006735403.tif 000005
【図５】
0006735403.tif 000006
【図６】
0006735403.tif 000007
【図７】
0006735403.tif 000008
【図８】
0006735403.tif 000009
【図９】
0006735403.tif 000010
【図１０】
0006735403.tif 000011